(57)【要約】【課題】撮影機器の小型化を図ると共に、撮影機器の小型化に伴う操作の煩雑性を省き容易に多種の撮影を行う撮影装置を提供する。【解決手段】画像を撮影するカメラ部を備えたカメラ端末と、当該カメラ端末と接続可能な情報処理端末と、を備えた撮影装置であって、情報処理端末は、情報処理端末が備える操作部を介して入力されたカメラ部を制御する情報であるカメラ部制御設定情報を取得して、当該取得したカメラ部制御設定情報をカメラ端末に送信する撮影条件設定手段を備え、カメラ端末は、カメラ部制御設定情報を記憶する撮影条件記憶手段と、撮影した画像データを記憶する画像記憶手段と、を備えると共に、情報処理端末から送信されたカメラ部制御設定情報を取得して、撮影条件記憶手段に記憶する撮影条件取得手段と、撮影条件記憶手段に記憶されているカメラ部制御設定情報に基づいてカメラ部を制御して撮影を行い、当該撮影した画像データを画像記憶手段に記憶する撮影手段と、を備える。【選択図】図３
2009232328.tif 000002
【特許請求の範囲】
【請求項１】
画像を撮影するカメラ部を備えたカメラ端末と、当該カメラ端末と接続可能な情報処理端末と、を備えた撮影装置であって、
前記情報処理端末は、
前記情報処理端末が備える操作部を介して入力された前記カメラ部を制御する情報であるカメラ部制御設定情報を取得して、当該取得したカメラ部制御設定情報を前記カメラ端末に送信する撮影条件設定手段を備え、
前記カメラ端末は、
前記カメラ部制御設定情報を記憶する撮影条件記憶手段と、
撮影した画像データを記憶する画像記憶手段と、を備えると共に、
前記情報処理端末から送信された前記カメラ部制御設定情報を取得して、前記撮影条件記憶手段に記憶する撮影条件取得手段と、
前記撮影条件記憶手段に記憶されている前記カメラ部制御設定情報に基づいて前記カメラ部を制御して撮影を行い、当該撮影した画像データを前記画像記憶手段に記憶する撮影手段と、を備えた、
ことを特徴とする撮影装置。
【請求項２】
前記カメラ端末と、前記情報処理端末とは、相互に接続可能な接続端子をそれぞれ備える、
ことを特徴とする請求項１記載の撮影装置。
【請求項３】
前記カメラ端末が有する前記撮影手段は、前記カメラ端末と前記情報処理端末とが接続した場合に、撮影した前記画像データを前記情報処理端末に送信し、
前記情報処理端末は、前記カメラ端末から送信された前記画像データを取得して、前記情報処理端末が備える記憶手段に記憶する、
ことを特徴とする請求項１又は２記載の撮影装置。
【請求項４】
前記カメラ部制御設定情報は、前記カメラ端末が撮影を行う時間を特定する撮影時間情報と、前記カメラ部が撮影する画像枚数を特定する撮影枚数情報と、のうち少なくとも１つ以上の情報を含む、
ことを特徴とする請求項１，２又は３記載の撮影装置。
【請求項５】
前記情報処理端末は、前記カメラ端末が備える前記画像記憶手段に記憶されている前記画像データを取得して、前記情報処理端末が備える記憶手段に記憶する画像取得手段を備えた、
ことを特徴とする請求項１，２，３又は４記載の撮影装置。
【請求項６】
前記情報処理端末と、前記カメラ端末と、の着脱を検出する着脱検出手段を備え、
前記着脱検出手段が、前記カメラ端末と前記情報処理端末とが装着されたことを検出した場合に前記情報処理端末が有する前記画像取得手段は、作動する、
ことを特徴とする請求項５記載の撮影装置。
【請求項７】
前記着脱検出手段が、前記情報処理端末と前記カメラ端末とが装着されたことを検出した場合に前記情報処理端末が有する前記画像取得手段は、前記情報処理端末と、前記カメラ端末と、が分離していた間に当該カメラ端末にて撮影された画像データを当該カメラ端末から取得する、
ことを特徴とする請求項５又は６記載の撮影装置。
【請求項８】
前記着脱検出手段は、前記情報処理端末と前記カメラ端末とが分離したことを検出した時点から、前記情報処理端末と前記カメラ端末とが装着されたことを検出した時点までを、前記情報処理端末と前記カメラ端末とが分離していた時間帯である分離時間帯として、前記情報処理端末が備える分離時間帯記憶手段に記憶して、
前記カメラ端末が有する前記撮影手段は、撮影した画像データを撮影時刻と関連付けて前記カメラ端末が備える画像記憶手段に記憶する、と共に、
前記着脱検出手段が、前記情報処理端末と前記カメラ端末とが装着されたことを検出した場合に前記情報処理端末が備える前記画像取得手段は、前記分離時間帯記憶手段に記憶されている前記分離時間帯を取得して、当該取得した分離時間帯に前記カメラ端末が撮影した画像データを、前記画像データと共に記憶されている前記撮影時刻を参照して前記カメラ端末が備える前記画像記憶手段から取得する、
ことを特徴とする請求項５，６又は７記載の撮影装置。
【請求項９】
前記情報処理端末は携帯電話端末である、
ことを特徴とする請求項１乃至８記載の撮影装置。
【請求項１０】
画像を撮影するカメラ部及び当該カメラ部にて撮影された画像データを記憶する画像記憶手段を備えたカメラ端末と接続可能な情報処理端末であって、
当該情報処理端末が備える操作部を介して入力された前記カメラ部を制御する情報であるカメラ部制御設定情報を取得して、当該カメラ部制御設定情報を接続された前記カメラ端末に送信する撮影条件設定手段を備えると共に、
前記カメラ部制御設定情報は、前記カメラ端末に記憶され、当該カメラ端末が前記カメラ部制御設定情報に基づいて前記カメラ部を制御して撮影を行い、当該撮影した画像データを前記画像記憶手段に記憶するよう、前記カメラ端末を制御する情報である、
ことを特徴とする情報処理端末。
【請求項１１】
画像を撮影するカメラ部を備えたカメラ端末であって、
前記カメラ部を制御する情報であるカメラ部制御設定情報を記憶する撮影条件記憶手段と、
撮影した画像データを記憶する画像記憶手段と、を備えると共に、
前記カメラ端末と接続可能な情報処理端末に当該情報処理端末に装備された操作部を介して入力された、前記カメラ部制御設定情報を当該情報処理端末より取得して、前記撮影条件記憶手段に記憶する撮影条件取得手段と、
前記撮影条件記憶部に記憶されている前記カメラ部制御設定情報に基づいて前記カメラ部を制御して撮影を行い、当該撮影した画像データを前記画像記憶手段に記憶する撮影手段と、を備えた、
ことを特徴とするカメラ端末。
【請求項１２】
画像を撮影するカメラ部及び当該カメラ部にて撮影された画像データを記憶する画像記憶手段を備えたカメラ端末と接続可能な情報処理端末に、
当該情報処理端末が備える操作部を介して入力された前記カメラ部を制御する情報であるカメラ部制御設定情報を取得して、当該カメラ部制御設定情報を接続された前記カメラ端末に送信する撮影条件設定手段を実現すると共に、
前記カメラ部制御設定情報は、前記カメラ端末に記憶され、前記カメラ端末が当該カメラ部制御設定情報に基づいて前記カメラ部を制御して撮影を行い、当該撮影した画像データを前記画像記憶手段に記憶するよう、前記カメラ端末を制御する情報である、
ことを特徴とするプログラム。
【請求項１３】
画像を撮影するカメラ部及び当該カメラ部にて撮影された画像データを記憶する画像記憶手段を備え、情報処理端末と接続可能なカメラ端末に、
前記情報処理端末に当該情報処理端末が備える操作部を介して入力された前記カメラ部を制御する情報であるカメラ部制御設定情報を、前記情報処理端末から取得して記憶する撮影条件取得手段と、
前記情報処理端末から取得して記憶した前記カメラ部制御設定情報に基づいて前記カメラ部を制御して撮影を行い、当該撮影した画像データを前記画像記憶手段に記憶する撮影手段と、
を実現させるためのプログラム。
【請求項１４】
画像を撮影するカメラ部を備えたカメラ端末と、当該カメラ端末と接続可能な情報処理端末と、を備えた撮影装置による撮影方法であって、
前記情報処理端末が、当該情報処理端末が備える操作部を介して入力された、前記カメラ部を制御する情報であるカメラ部制御設定情報を取得して、当該取得したカメラ部制御設定情報を前記カメラ端末に送信する撮影条件設定工程と、
前記カメラ端末が、前記情報処理装置から送信された前記カメラ部制御設定情報を取得して、取得した当該カメラ部制御設定情報を当該カメラ端末が備える記憶手段に記憶する撮影条件取得工程と、
前記カメラ端末が、前記撮影条件取得工程によって記憶された前記カメラ部制御設定情報に基づいて、前記カメラ部を制御して撮影を行い、撮影した画像データを当該カメラ端末が備える記憶手段に記憶する撮影工程と、を備えた、
ことを特徴とする撮影方法。
【発明の詳細な説明】
【技術分野】
【０００１】
本発明は、撮影装置にかかり、特に接続可能なカメラ端末と、情報処理端末と、を備える撮影装置に関する。
【背景技術】
【０００２】
近年、撮影機能を備えた情報処理端末が、広く一般ユーザに普及しており、撮影機器単体及び撮影機能を備えた情報処理端末の小型化も進んでいる。例えば、カメラ付き携帯電話がある。
【０００３】
また、情報処理端末に付加された撮影機能は、当該情報処理端末のユーザによって多種の撮影条件を設定することが可能である。これにより、当該情報処理端末にて設定された撮影条件に基づいて撮影を行うことができる。
【０００４】
また、複数の撮影機器を装着することが可能な情報処理端末が特許文献１に開示されている。この情報処理端末は、装着される各撮影機器が備える撮影機能を利用することで多種の撮影を行うことが出来る。具体的には、まず、情報処理端末は、撮影機器を識別する識別情報と、当該撮影機器が有する撮影機能と、を関連付けて情報処理端末内の記憶部に記憶している。
【０００５】
そして、上記情報処理端末に着脱可能な撮影機器が当該情報処理端末に装着されると当該情報処理端末は、上記撮影機器の識別情報を取得する。次に、上記情報処理端末は、取得した識別情報に関連付けられて記憶されている機能を、当該情報処理端末が備える記憶部から取得する。
【０００６】
上記情報処理端末の使用者は、当該撮影機器が有する撮影機能に基づく撮影条件を設定する。そして、情報処理端末は、上記設定された撮影条件に従ってカメラ部を制御して撮影を行う。
【０００７】
【特許文献１】特開２００６−１４０９０５号公報
【発明の開示】
【発明が解決しようとする課題】
【０００８】
しかしながら、上記特許文献１に開示の技術では、情報処理端末に予め撮影機器の識別情報と、当該撮影機器が有する撮影機能と、を関連付けて記憶しなければ、上記撮影条件の設定を行うことが出来ず、撮影を行うことが出来ない。また、情報処理端末と、撮影機器と、を接続して初めて撮影が可能となるため、撮影機器としての小型化を図ることが出来ない。
【０００９】
一方で、情報処理端末とカメラ端末とが接続された装置全体の小型化を図った場合には、撮影条件を設定する操作や、また、撮影した撮影画像データの処理を行う際における操作などの様々な操作が困難となる。
【００１０】
このため、本発明の目的は、上述した課題である、撮影機器の小型化を図ると共に、撮影機器の小型化に伴う操作の煩雑性を省き容易に多種の撮影を行う撮影装置を提供することにある。
【課題を解決するための手段】
【００１１】
本発明の一形態である撮影装置は、
画像を撮影するカメラ部を備えたカメラ端末と、当該カメラ端末と接続可能な情報処理端末と、を備えた撮影装置であって、情報処理端末は、当該情報処理端末が備える操作部を介して入力されたカメラ部を制御する情報であるカメラ部制御設定情報を取得して、当該取得したカメラ部制御設定情報をカメラ端末に送信する撮影条件設定手段を備え、カメラ端末は、カメラ部制御設定情報を記憶する撮影条件記憶手段と、撮影した画像データを記憶する画像記憶手段と、を備えると共に、情報処理端末から送信されたカメラ部制御設定情報を取得して、撮影条件記憶手段に記憶する撮影条件取得手段と、撮影条件記憶手段に記憶されているカメラ部制御設定情報に基づいてカメラ部を制御して撮影を行い、当該撮影した画像データを画像記憶手段に記憶する撮影手段と、を備えた、という構成を採る。
【発明の効果】
【００１２】
本発明は、以上のように構成されているため、撮影機器の小型化を図ると共に、撮影機器の小型化に伴う操作の煩雑性を省き、容易に多種の撮影を行うことが出来る、という優れた効果を有する。
【発明を実施するための最良の形態】
【００１３】
本発明である撮影装置は、画像を撮影するカメラ部を備えたカメラ端末と、当該カメラ端末と接続可能な情報処理端末と、を備えた撮影装置であって、情報処理端末は、当該情報処理端末が備える操作部を介して入力されたカメラ部を制御する情報であるカメラ部制御設定情報を取得して、当該取得したカメラ部制御設定情報をカメラ端末に送信する撮影条件設定手段を備え、カメラ端末は、カメラ部制御設定情報を記憶する撮影条件記憶手段と、撮影した画像データを記憶する画像記憶手段と、を備えると共に、情報処理端末から送信されたカメラ部制御設定情報を取得して、撮影条件記憶手段に記憶する撮影条件取得手段と、撮影条件記憶手段に記憶されているカメラ部制御設定情報に基づいてカメラ部を制御して撮影を行い、当該撮影した画像データを画像記憶手段に記憶する撮影手段と、を備える、という構成を採る。
【００１４】
上記発明によると、まず、情報処理端末は、当該情報処理端末が備える情報の入力を行う操作部を介して入力された、上記カメラ端末が備えるカメラ部を制御する情報であるカメラ部制御設定情報を取得する。そして、上記情報処理端末は、入力されたカメラ部制御設定情報を上記カメラ端末へ送信する。
【００１５】
また、上記カメラ端末は、上記情報処理端末から送信されたカメラ部制御設定情報を取得して、当該取得したカメラ部制御設定情報を当該カメラ端末が備える記憶装置内の撮影条件記憶手段に記憶する。次に、上記カメラ端末は、上記撮影条件記憶手段に記憶されているカメラ部制御設定情報に基づいてカメラ部を制御して撮影を行う。そして、カメラ端末は、撮影を行い取得した画像データを当該カメラ端末が備える記憶装置内の画像記憶手段に記憶する。
【００１６】
以上により、情報処理端末のユーザは、情報処理端末が備える操作部を操作してカメラ部制御設定情報の入力設定を行うことが可能である。また、カメラ端末は、記憶しているカメラ部制御設定情報に基づいて撮影を行うため、カメラ端末と情報処理端末とが接続しているか否かに関わらず撮影を行うことが可能である。従って、撮影装置は、上記カメラ部制御設定情報の設定などの操作の煩雑性を省くと共に、撮影状況の多様化を図ることが出来る。
【００１７】
また、本発明である撮影装置は、カメラ端末と、情報処理端末とは、相互に接続可能な接続端子をそれぞれ備える、という構成を採る。
【００１８】
上記発明によると、情報処理端末と、カメラ端末とは、それぞれ接続端子を有することにより装着した状態では接続が可能であり、相互に取り外すことが出来る。これにより、撮影装置は、上記それぞれの接続端子が嵌合することによって接続可能となるインターフェースを介して、上記情報処理端末にて設定したカメラ部制御設定情報を上記カメラ端末へ送信することが出来る。この結果、カメラ端末に上記カメラ部制御設定情報を設定することが、容易となる。
【００１９】
また、本発明である撮影装置は、カメラ端末が有する撮影手段は、カメラ端末と情報処理端末とが接続した場合に、撮影した画像データを情報処理端末に送信し、情報処理端末は、カメラ端末から送信された画像データを取得して、情報処理端末が備える記憶手段に記憶する、という構成を採る。
【００２０】
上記発明によると撮影装置は、カメラ端末と情報処理端末とが装着している場合に当該カメラ端末は、カメラ部を制御して撮影を行う。そして、カメラ端末は、取得した画像データを当該カメラ端末と接続している上記情報処理端末へ送信する。
【００２１】
次に、上記情報処理端末は、上記カメラ端末と当該情報処理端末とが装着している場合には、上記カメラ端末から送信された画像データを取得する。そして、情報処理端末は、当該情報処理端末が備える記憶手段に上記取得した画像データを記憶する。
【００２２】
このことから、カメラ端末単体のみだけではなく、情報処理端末と、カメラ端末とが装着した場合においても撮影が可能である。この結果、撮影装置は、撮影状況の多様化を図ることが出来る。
【００２３】
また、本発明である撮影装置は、カメラ部制御設定情報は、カメラ端末が撮影を行う時間を特定する撮影時間情報と、カメラ部が撮影する画像枚数を特定する撮影枚数情報と、のうち少なくとも１つ以上の情報を含む、という構成を採る。
【００２４】
上記発明によるとカメラ部制御設定情報は、カメラ端末が撮影を行う時間を特定する撮影時間情報と、カメラ端末が撮影する画像枚数を特定する撮影枚数情報と、のうち少なくとも一方の情報を含む。このことから、上記カメラ端末は、予め設定されたカメラ部制御設定情報に基づいて撮影を行う為、上記設定によっては自動撮影による撮影を行うことが可能である。この結果、情報処理端末にてカメラ部制御設定情報を設定することによって、上記カメラ端末は、多様な撮影を行うことが可能である。
【００２５】
また、本発明の撮影装置は、上記情報処理端末は、カメラ端末が備える画像記憶手段に記憶されている画像データを取得して、情報処理端末が備える記憶手段に記憶する画像取得手段を備えた、という構成を採る。
【００２６】
上記発明によると上記情報処理端末は、上記カメラ端末が備える画像記憶手段に記憶されている画像データを取得する。そして、情報処理端末は、取得した画像データを当該情報処理端末が備える記憶手段に記憶する。
【００２７】
この結果、撮影装置は、情報処理端末によってカメラ端末が取得した画像データのバックアップを容易に行うことが出来る為、データ処理操作における煩雑性を省くことが出来る。
【００２８】
さらに、上記構成に加え撮影装置は、情報処理端末と、カメラ端末と、の着脱を検出する着脱検出手段を備え、着脱検出手段が、カメラ端末と情報処理端末とが装着されたことを検出した場合に情報処理端末が有する画像取得手段は、作動する、という構成を採っている。
【００２９】
上記発明によると撮影装置は、上記情報処理端末と上記カメラ端末とが着脱することを検出する。そして、上記情報処理端末と上記カメラ端末とが装着されたことを検出した場合に上記情報処理端末は、上記カメラ端末が備える画像記憶手段から画像データを取得する。画像データを取得した情報処理端末は、当該画像データを情報処理端末が備える記憶手段に記憶する。
【００３０】
これにより、情報処理とカメラ端末とが装着されたとことを検出したことを契機に上記情報処理端末は、上記カメラ端末が記憶している画像のバックアップを自動で行う。従って、撮影装置は、データ処理操作における煩雑性を省くことが出来る。
【００３１】
さらに、上記構成に加え撮影装置は、着脱検出手段が、情報処理端末とカメラ端末とが装着されたことを検出した場合に情報処理端末が有する画像取得手段は、情報処理端末とカメラ端末とが分離していた間に当該カメラ端末にて撮影された画像データを当該カメラ端末から取得する、という構成を採る。
【００３２】
上記発明によると撮影装置は、情報処理端末とカメラ端末とが装着されたことを検出した場合に上記情報処理端末は、上記カメラ端末が上記情報処理端末と離れていた間に撮影した画像データを当該カメラ端末から取得する。そして、画像データを取得した情報処理端末は、当該情報処理端末が備える記憶手段に当該取得した画像データを記憶する。
【００３３】
以上のことより、カメラ端末単体で撮影を行い取得した画像データのバックアップを情報処理端末が、自動で行うためデータ処理が容易に行うことが出来る。従って、撮影装置は、情報処理端末によってカメラ端末が取得した画像データのバックアップを容易に行うことが出来る為、データ処理操作における煩雑性を省くことが出来る。
【００３４】
さらに、上記構成に加え撮影装置は、着脱検出手段は、情報処理端末とカメラ端末とが分離したことを検出した時点から、情報処理端末とカメラ端末とが装着されたことを検出した時点までを、情報処理端末とカメラ端末とが分離していた時間帯である分離時間帯として、情報処理端末が備える分離時間帯記憶手段に記憶して、カメラ端末が有する撮影手段は、撮影した画像データを撮影時刻と関連付けてカメラ端末が備える画像記憶手段に記憶する、と共に、着脱検出手段が、情報処理端末とカメラ端末とが装着されたことを検出した場合に情報処理端末が備える画像取得手段は、分離時間帯記憶手段に記憶されている分離時間帯を取得して、当該取得した分離時間帯にカメラ端末が撮影した画像データを、画像データと共に記憶されている撮影時刻を参照してカメラ端末が備える画像記憶手段から取得する、という構成を採っている。
【００３５】
上記発明によると撮影装置は、情報処理端末とカメラ端末とが分離したことを検出し時点から、情報処理端末とカメラ端末とが装着したことを検出した時点までを、当該情報処理端末と当該カメラ端末とが分離していた時間帯である分離時間帯として記憶する。
【００３６】
また、上記カメラ端末は、カメラ端末が備えるカメラ部によって撮影して取得した画像データを撮影時刻と共に、当該カメラ端末が備える記憶装置内の画像記憶手段に記憶する。
【００３７】
次に、上記カメラ端末と上記情報処理端末とが装着されたことを検出されると上記情報処理端末は、上記分離時間帯記憶手段から記憶されている分離時間帯を取得する。すると、情報処理端末は、撮影画像と共に記憶されている撮影時刻を参照して、当該分離時間帯に上記カメラ端末にて撮影された撮影画像を当該カメラ端末が備える画像記憶手段から取得する。そして、上記画像データを取得した情報処理端末は、取得した画像データを当該情報処理端末が備える取得画像記憶手段に記憶する。
【００３８】
以上のことから、カメラ端末単体で撮影を行い取得した画像データのバックアップを情報処理装置が、自動で行うためデータ処理が容易に行うことが出来る。この結果、撮影装置は、情報処理端末によってカメラ端末が取得した画像データのバックアップを容易に行うことが出来る為、データ処理操作における煩雑性を省くことが出来る。
【００３９】
また、本発明である撮影装置は、情報処理端末は、携帯電話端末である、という構成を採っている。
【００４０】
上記発明によると撮影装置が備えるカメラ端末と、当該カメラ端末と着脱可能な上記情報処理端末は、携帯電話端末である。当該携帯電話端末は、上述した情報処理端末と同様の機能を備える。
【００４１】
このことから、携帯電話端末によってカメラ端末へカメラ部制御設定情報を設定することが可能となり、また、当該携帯電話端末によってカメラ端末が撮影した画像データのバックアップを行うことが出来る。
【００４２】
さらに、携帯電話端末は通信端末であることから、当該携帯電話端末に設けられている無線部を介してデータの送受信を行うことが可能である。つまり、撮影装置は、取得した画像データを携帯電話端末から所定のデータ保存先に送信することが出来る。この結果、撮影装置は、カメラ端末へのカメラ部制御設定情報の設定が容易になると共に、取得したデータの処理も容易に行える。
【００４３】
また、本発明の他の形態である情報処理端末は、画像を撮影するカメラ部及び当該カメラ部にて撮影された画像データを記憶する画像記憶手段を備えたカメラ端末と接続可能な情報処理端末であって、当該情報処理端末が備える操作部を介して入力された前記カメラ部を制御する情報であるカメラ部制御設定情報を取得して、当該カメラ部制御設定情報を接続されたカメラ端末に送信する撮影条件設定手段を備えると共に、カメラ部制御設定情報は、カメラ端末に記憶され、当該カメラ端末がカメラ部制御設定情報に基づいてカメラ部を制御して撮影を行い、当該撮影した画像データを前記画像記憶手段に記憶するよう、カメラ端末を制御する情報である、ことを特徴とする構成を採る。
【００４４】
また、本発明の他の形態であるカメラ端末は、画像を撮影するカメラ部を備えたカメラ端末であって、カメラ部を制御する情報であるカメラ部制御設定情報を記憶する撮影条件記憶手段と、撮影した画像データを記憶する画像記憶手段と、を備えると共に、カメラ端末と接続可能な情報処理端末に当該情報処理端末に装備された操作部を介して入力された、カメラ部制御設定情報を当該情報処理端末より取得して、撮影条件記憶手段に記憶する撮影条件取得手段と、撮影条件記憶部に記憶されているカメラ部制御設定情報に基づいてカメラ部を制御して撮影を行い、当該撮影した画像データを画像記憶手段に記憶する撮影手段と、を備える、という構成を採る。
【００４５】
また、本発明の他の形態であるプログラムは、画像を撮影するカメラ部及び当該カメラ部にて撮影された画像データを記憶する画像記憶手段を備えたカメラ端末と接続可能な情報処理端末に、当該情報処理端末が備える操作部を介して入力された前記カメラ部を制御する情報であるカメラ部制御設定情報を取得して、当該カメラ部制御設定情報を接続されたカメラ端末に送信する撮影条件設定手段を実現すると共に、カメラ部制御設定情報は、カメラ端末に記憶され、カメラ端末が当該カメラ部制御設定情報に基づいてカメラ部を制御して撮影を行い、当該撮影した画像データを画像記憶手段に記憶するよう、カメラ端末を制御する情報である、ことを実現させるためのプログラム。
【００４６】
また、本発明の他の形態であるプログラムは、画像を撮影するカメラ部及び当該カメラ部にて撮影された画像データを記憶する画像記憶手段を備え、情報処理端末と接続可能なカメラ端末に、情報処理端末に当該情報処理端末が備える操作部を介して入力されたカメラ部を制御する情報であるカメラ部制御設定情報を、情報処理端末から取得して記憶する撮影条件取得手段と、情報処理端末から取得して記憶したカメラ部制御設定情報に基づいてカメラ部を制御して撮影を行い、当該撮影した画像データを前記画像記憶手段に記憶する撮影手段と、を実現させるためのプログラム。
【００４７】
また、本発明の他の形態である撮影方法は、画像を撮影するカメラ部を備えたカメラ端末と、当該カメラ端末と接続可能な情報処理端末と、を備えた撮影装置による撮影方法であって、記情報処理端末が、当該情報処理端末が備える操作部を介して入力された、カメラ部を制御する情報であるカメラ部制御設定情報を取得して、当該取得したカメラ部制御設定情報をカメラ端末に送信する撮影条件設定工程と、カメラ端末が、情報処理装置から送信されたカメラ部制御設定情報を取得して、取得した当該カメラ部制御設定情報を当該カメラ端末が備える記憶手段に記憶する撮影条件取得工程と、カメラ端末が、撮影条件取得工程によって記憶されたカメラ部制御設定情報に基づいて、カメラ部を制御して撮影を行い、撮影した画像データを当該カメラ端末が備える記憶手段に記憶する撮影工程と、を備える、という構成を採る。
【００４８】
上述した構成の装置、プログラム、及び撮影方法の発明であっても、上記撮影装置と同様の作用をする為、上述した本発明の目的を達成することが出来る。以下、本発明の具体的な構成及び動作を、実施形態にて説明する。
【００４９】
なお、本発明の実施形態では、撮影装置を構成するカメラ端末と接続可能な情報処理端末として、携帯電話を例示して説明するが、これに限られない。例えば、ポータブルゲーム機や、電子手帳や、ＰＤＡなど、上記カメラ端末と相互に接続可能であれば、いかなる情報処理端末であってもよい。
【００５０】
＜実施形態１＞
本発明の実施形態を、図１乃至１０を参照して説明する。図１（ａ）は、撮影装置１の外観構成を示す概略図である。また、図１（ｂ）は、当該撮影装置１の使用例を示す図である。図２（ａ）は、携帯電話２の構成を示すブロック図である。また、図２（ｂ）は、カメラ端末３の構成を示すブロック図である。図３は、撮影装置１の構成を示すブロック図である。
【００５１】
図４は、撮影装置１が撮影を行う動作を示すフローチャートである。図５は、撮影装置１によるデータ処理の動作を示すフローチャートである。図６は、携帯電話２が、カメラ部制御設定情報を設定する動作を示すフローチャートである。図７は、携帯電話２が備える着脱検出部２１０の動作を示すフローチャートである。図８は、カメラ端末３が備える撮影制御部３１０の動作を示すフローチャートである。図９は、携帯電話２によるデータ処理の動作を示すフローチャートである。図１０は、携帯電話２が備える画像取得部２１１の動作を示すフローチャートである。
【００５２】
［構成］
まず、撮影装置１の構成について、図１（ａ）を参照して説明する。本発明である撮影装置１は、カメラ端末３と、当該カメラ端末３と着脱可能な携帯電話２と、を備える。図２（ａ）及び（ｂ）が示すように、携帯電話２とカメラ端末３は、相互に接続可能な接続端子２０１、３０１をそれぞれ備えることにより自由に着脱が可能となる。
【００５３】
次に、上記携帯電話２及び上記カメラ端末３の構成について図２を参照して説明する。まず、携帯電話２は、接続端子２０１と、操作部２０２と、制御部２０３と、記憶部２０４と、メモリーカード（カードインターフェース）２０５と、表示部２０６と、無線通信部２０７と、を備える。
【００５４】
また、上記カメラ端末３は、接続端子３０１と、制御部３０２と、記憶部３０３と、メモリーカード（カードインターフェース）３０４と、カメラ部３０５と、表示部３０６と、操作部３０７と、を備える。
【００５５】
上記携帯電話２が備える接続端子２０１と、上記カメラ端末３が備える接続端子３０１とは、上述したように相互に着脱可能な接続端子である。例えば、接続端子２０１、３０１とは、凸凹状の接続端子であり、対を成すことで相互に嵌合することが可能な接続端子である。また、上記接続端子は、接続端子２０１と、接続端子３０１とが嵌合することで接続状態となり、上記携帯電話２と上記カメラ端末３情報との間で情報のやりとり等を行うことが出来るインターフェースである。
【００５６】
次に、上記携帯電話２が備える操作部２０２と、上記カメラ端末３が備える操作部３０７とは、情報の入力を行うことが可能な操作部である。上記携帯電話２が備える操作部２０２は、例えば、テンキーやファンクションキーなどである。また、上記カメラ端末３が備える操作部３０７は、例えば、簡易的なキーであり、使用者が当該簡易的なキーを押下するなどして、カメラ端末３に情報の入力を行うことが出来る。
【００５７】
また、上記携帯電話２が備える記憶部２０４と、上記カメラ端末３が備える記憶部３０３とは、上述した操作部を介して入力された情報や、アプリケーションプログラムや、上記携帯電話２及びカメラ端末３の諸設定等を、格納する記憶部である。
【００５８】
上記携帯電話２が備えるメモリーカード（カードインターフェース）２０５と、カメラ端末３が備えるメモリーカード（カードインターフェース）３０４は、着脱可能な記憶手段である。上記携帯電話２及びカメラ端末３には、それぞれ当該メモリーカードを装着することが出来き、それぞれ装着した上記メモリーカードとの間で情報のやり取りを行うことが出来る。
【００５９】
次に、携帯電話２が備える制御部２０３と、カメラ端末３が備える制御部３０２とは、上記各端末の制御を行う制御部であり、例えば、ＣＰＵである。また、携帯電話２が備える表示部２０６と、カメラ端末３が備える表示部３０６は、画像データを再生して表示を行う表示部であり、例えば、ＬＣＤなどである。
【００６０】
上記携帯電話２が備える上記無線通信部２０７は、当該携帯電話２による通話や、電子メールの送信などの、無線通信を行う。また、上記カメラ端末３が備えるカメラ部３０５は、画像を取得するカメラセンサであり、例えば、ＣＣＤやＣＭＯＳなどのイメージセンサである。
【００６１】
次に、図３を参照して撮影装置１が備える上記携帯電話２及び上記カメラ端末３の詳しい構成について説明する。まず、携帯電話２は、上述したように上記カメラ端末３と接続することが出来る接続部２０１と、操作部２０２と、表示部２０６と、を備える。そして、携帯電話２は、ＣＰＵに所定のプログラムが組み込まれることで構築される撮影条件設定部２０８と、着脱検出部２１０と、画像取得部２１１と、を備える。また、携帯電話２の記憶装置内には、分離時間帯記憶部２０９と、取得画像記憶部２０５と、を有している。なお、以下、各構成部の説明を行うが、上記接続部２０１と、操作部２０２と、表示部２０６と、については上述したとおりである。
【００６２】
まず、上記撮影条件設定部２０８は、上記携帯電話２の使用者が上記操作部２０２を操作して入力した、撮影を行う際に上記カメラ端末３が備える上記カメラ部３０５を制御する情報であるカメラ部制御設定情報を取得する。当該カメラ部制御設定情報とは、上記カメラ端末３が撮影を行う時間を特定する撮影時間情報や、カメラ端末３が撮影をする画像枚数を特定する撮影枚数情報などである。そして、カメラ部制御設定情報を取得した撮影条件設定部２０８は、当該カメラ部制御設定情報を上記カメラ端末３へ送信する（撮影条件設定手段）。
【００６３】
上記撮影時間情報とは、撮影開始時刻から撮影終了時刻までを特定する撮影時間帯を表す情報である。例えば、携帯電話２が備える操作部２０２の１つであるテンキーを操作して、撮影開始時刻から撮影終了時刻までを詳細に設定することによって上記カメラ端末３が撮影を行う撮影時間帯を特定する。
【００６４】
また、撮影時間情報の設定は、上記携帯電話２が備える操作部２０２の１つであるテンキーを操作して入力し設定することに限られず、当該携帯電話２に設けられたファンクションキーを利用して簡易に設定することが可能であってもよい。
【００６５】
例えば、上記ファンクションキーを１回押下する毎に、上記カメラ端末３が撮影する時間帯を、携帯電話２と、カメラ端末３とが分離した時刻から３０秒間、１分間、５分間、３０分間、１時間となるよう、予め携帯電話２にプログラムする。これにより、撮影装置１の使用者は、携帯電話２に備えられているファンクションキーを用いて簡易に上記カメラ部制御設定情報の１つである撮影時間情報を設定することが可能である。
【００６６】
また、上記撮影枚数情報とは、具体的には、上記撮影を行う撮影時間帯にいくつ画像を撮影するかを特定する情報である。当該撮影枚数情報の設定も、上述したようにテンキーを操作して詳細に撮影枚数を設定することが可能である。また、上述したように予め携帯電話２にプログラムすることによって、当該携帯電話２に設けられたファンクションキーを操作して撮影枚数情報を簡易に設定することが可能であってもよい。例えば、上記ファンクションキーを１回押下する毎に設定する撮影枚数が５枚、１０枚、３０枚、５０枚となるように、携帯電話２に予めプログラムすることで可能である。
【００６７】
次に、着脱検出部２１０は、上記携帯電話２と、上記カメラ端末３と、の着脱を検出する。また、着脱検出部２１０は、携帯電話２とカメラ端末３とが分離していた時間帯である分離時間帯を携帯電話２の記憶装置内の分離時間帯記憶部２０９に記憶する（着脱検出手段）。
【００６８】
具体的には、着脱検出部２１０は、携帯電話２とカメラ端末３とが分離したことを検出した時刻から、当該携帯電話２とカメラ端末３とが装着されたことを検出した時刻までを、上記分離時間帯として上記分離時間帯記憶部２０９に記憶する。また、着脱検出部２１０は、携帯電話２とカメラ端末３とが装着されたことを検出した場合には、当該装着されたことを検出した旨を上記画像取得部２１１に通知する。
【００６９】
なお、本実施形態において着脱検出部２１０は、携帯電話２に設けられているがこれに限られない。上記ＣＰＵにプログラムすることで構築することが出来るため、上記カメラ端末３が備えてもよく、また、携帯電話２と、カメラ端末３と、の両方が備えてもよい。
【００７０】
次に、上記着脱検出部２１０が、上記携帯電話２と上記カメラ端末３とが接続したことを検出した場合に、上記画像取得部２１１は、上記カメラ端末３の記憶装置内の撮影画像記憶部３０４から当該撮影画像記憶部３０４に記憶されている画像データを取得する（画像取得手段）。
【００７１】
また、上記画像データは、上記カメラ端末３によって撮影された際に、当該カメラ部３０５が当該画像データを取得した時刻である撮影時刻と共に、カメラ端末３が備える上記撮影画像記憶部３０４に記憶される。
【００７２】
上記着脱検出部２１０が、上記携帯電話２と上記カメラ端末３とが接続されたことを検出したことを受け付けると、上記画像取得部２１１は、上記分離時間帯記憶部２０９に記憶されている上記分離時間帯を取得する。そして、画像取得部２１１は、取得した分離時間帯に撮影された画像データを、当該画像データと共に記憶されている撮影時刻を参照して、上記カメラ端末３が有する撮影画像記憶部３０４から取得する。
【００７３】
当該画像データを取得した場合に、上記画像取得部２１１は、上記携帯電話２の記憶装置内の取得画像記憶部２０５に取得した画像データを記憶する。なお、取得画像記憶部２０５は、上述したメモリーカードであり携帯電話２と着脱可能な記憶手段である。
【００７４】
一方、上記画像取得部２１１は、上記画像データを上記カメラ端末３が備える撮影画像記憶部３０４から取得することが出来ない場合に、上記画像データを取得することができない旨を上記携帯電話２が備える表示部２０６に表示する。
【００７５】
また、上記携帯電話２の記憶装置内の分離時間帯記憶部２０９及び取得画像記憶部２０５は、上述したとおりである。上記分離時間帯記憶部２０９は、当該携帯電話２と上記カメラ端末３とが分離していた時間帯を記憶する。また、上記取得画像記憶部２０５は、画像データを記憶する。
【００７６】
次に、上記カメラ端末３の詳しい構成について説明する。カメラ端末３は、上述したように接続部３０１と、カメラ部３０５と、操作部３０７と、を備える。当該カメラ端末３は、ＣＰＵに所定のプログラムが組み込まれることで構築される撮影条件取得部３０８と、撮影制御部３１０と、を備える。また、カメラ端末３の記憶装置内に、撮影条件記憶部３０９と、撮影画像記憶部３０４と、を有する。
【００７７】
まず、上記撮影条件取得部３０８は、上述した携帯電話２が備える撮影条件設定部２０８から送信された上記カメラ部制御設定情報を取得する。そして、撮影条件取得部３０８は、取得したカメラ部制御設定情報を、当該カメラ端末３の記憶装置内の上記撮影条件記憶部３０９に記憶する（撮影条件取得手段）。なお、上記カメラ部制御設定情報は、上記カメラ端末３が備える操作部３０７を介して入力されてもよく、詳細は後述する。
【００７８】
次に、撮影制御部３１０は、上記撮影条件記憶部３０９に記憶された上記カメラ部制御設定情報に基づいて、カメラ端末３が備える上記カメラ部３０５を制御して撮影を行う（撮影手段）。撮影制御部３１０は、上記カメラ部制御設定情報の１つである上記撮影時間情報から、上記撮影時間帯を取得する。そして、撮影制御部３１０は、撮影時間帯に等間隔で、上記カメラ部制御設定情報の１つである上記撮影枚数情報に設定された画像枚数を撮影するように、上記カメラ部３０５を制御する。
【００７９】
例えば、図１（ｂ）−８に示すように、上記カメラ部制御設定情報の１つである上記撮影時間情報を、上記携帯電話２と、上記カメラ端末３とが分離した時刻から１０分間撮影を行うと設定する。また、カメラ部制御設定情報の１つである上記撮影枚数情報を、３０枚と、設定する。
【００８０】
上記撮影制御部３１０は、上記カメラ部制御設定情報の設定によると、撮影を行う撮影時間帯である１０分間に等間隔で撮影枚数３０枚を撮影するように上記カメラ部３０５を制御する。つまり、撮影制御部３１０は、携帯電話２と、カメラ端末３とが分離した時刻から２０秒毎に画像を１枚撮影して、携帯電話２と、カメラ端末とが分離した時刻から１０分後に撮影を終了するように上記カメラ部３０５を制御する。
【００８１】
また、図１（ｂ）−３に示すように、上記撮影時間情報を、携帯電話２と、カメラ端末３とが分離した時刻から１秒間として、また、上記撮影枚数情報を３０枚として上記カメラ部制御設定情報を設定する。この設定により撮影制御部３１０は、携帯電話２とカメラ端末３とが分離した時刻から０．０３秒毎に画像を１枚撮影して、携帯電話２とカメラ端末３とが分離した時刻から１秒後に撮影を終了するようにカメラ部３０５を制御する。このように設定することでカメラ端末３は、高速撮影によって画像データを取得することも可能である。
【００８２】
さらに、図１（ｂ）−５に示すように、上記撮影時間情報を、携帯電話２とカメラ端末３とが分離した時刻から２４時間として、また、上記撮影枚数情報を４８枚として上記カメラ部制御設定情報を設定する。すると、上記カメラ端末３は、携帯電話２とカメラ端末３とが分離した時刻から３０分毎に１枚画像を撮影する。これにより、撮影装置１の使用者は、長時間の観察など上記カメラ端末３を用いて自動で行うことも可能である。
【００８３】
なお、上記カメラ部制御設定情報に基づくカメラ端末３による撮影は、上述する撮影状況に限られるものではなく、また、図１（ｂ）に例示したものに限られない。上述したように上記カメラ端末３に、カメラ部制御設定情報として撮影時間情報と、撮影枚数情報と、を設定することにより、撮影状況の多様化を図ることが可能である。
【００８４】
そして、上記撮影制御部３１０が、上記カメラ部３０５を制御して撮影した上記画像データは、撮影時刻と共に上記カメラ端末３の記憶装置内の上記撮影画像記憶部３０４に記憶される。
【００８５】
なお、撮影制御部３１０は、上記カメラ端末３が備える操作部３０７を介して入力された情報に従って上記カメラ部３０５を制御して撮影をおこなってもよく、詳細は後述する。
【００８６】
また、上記撮影条件記憶部３０９は、上記携帯電話２が上記カメラ端末３と接続した際に、当該携帯電話２から送信された上記カメラ部制御設定情報を記憶する。上記撮影画像記憶部３０４は、上記カメラ部３０５が取得した画像データを記憶する。なお、当該撮影画像記憶部３０４は、上記カメラ端末３に着脱可能な記憶手段である。
【００８７】
なお、上述したように、上記携帯電話２が備える着脱検出部２１０を、上記カメラ端末３のＣＰＵにプログラムして構築しても構わない。この場合にカメラ端末３が備える着脱検出部は、上記携帯電話２と、当該カメラ端末３とが分離したことを検出した時刻から、携帯電話２と、カメラ端末３とが接続されたことを検出した時刻までを上記分離時間帯として上記カメラ端末３が備える記憶部に記憶する。
【００８８】
また、着脱検出部を有するカメラ端末３は、当該カメラ端末３と、上記携帯電話２とが接続されたことを検出すると、カメラ端末３が備える記憶部に記憶されている分離時間帯を上記携帯電話２が備える画像取得部２１１に送信する。その後、分離時間帯を取得した画像取得部２１１が、取得した分離時間帯に撮影された画像データを、当該画像データと共に記憶されている撮影時刻を参照して、上記カメラ端末３が有する撮影画像記憶部３０４から取得するという構成を採っても良い。
【００８９】
さらに、着脱検出部を備えるカメラ端末３が、当該カメラ端末３が備える記憶部に記憶されている上記分離時間帯と、カメラ端末３が備える上記撮影画像記憶部３０４に画像データと共に記憶されている撮影時刻と、を比較する。そして、着脱検出部を備えるカメラ端末３は、分離時間帯に撮影された画像データを取得して、当該取得した画像データを上記携帯電話２が備える画像取得部２１１に送信する、という構成を採っても良い。
【００９０】
なお、上記カメラ部制御設定情報は、上記撮影時間情報や、上記撮影枚数情報に限られなく、携帯電話２に予めプログラムすることによってカメラ部制御設定情報の種類を増加することも可能である。つまり、より多種のカメラ部制御設定情報を設定することができることにより撮影装置１が備えるカメラ端末３は、より多様な撮影を行うことが可能となる。
【００９１】
また、以上のような構成を採ることでカメラ端末３は、上述したカメラ部制御設定情報に基づいてカメラ部３０５を制御して撮影を行う為、上記携帯電話２と、当該カメラ端末３とが装着しているか否かに関わらず撮影を行うことが出来る。これにより、図１（ｂ）に示すように、撮影状況の多様化を図ることが出来る。
【００９２】
［動作］
次に、図４を参照して本発明である撮影装置１が、撮影を行う動作について説明する。まず、上記携帯電話２と、上記カメラ端末３とが接続された状態であり、上記カメラ部制御設定情報が、携帯電話２が備える操作部３０７を介して当該携帯電話２に入力される。この時、入力されるカメラ部制御設定情報は、上記カメラ端末３が撮影を行う時間を特定する撮影時間情報と、上記カメラ部３０５が撮影する撮影枚数を特定する撮影枚数情報と、である。（ステップＳ１及びステップＳ２）。
【００９３】
そして、上記カメラ制御設定情報は、上記カメラ端末３が備える撮影条件記憶部３０９に記憶される（ステップＳ３）。次に、上記携帯電話２と上記カメラ端末３とが分離すると、カメラ端末３は、当該カメラ端末３が備える上記撮影条件記憶部３０９に記憶されている上記カメラ部制御設定情報に基づいて撮影を開始する（ステップＳ４でイエス、ステップＳ５でイエス、ステップＳ６）。
【００９４】
次に、図５を参照して上記撮影装置１によるデータ処理の動作について説明する。まず、上記携帯電話２と上記カメラ端末３とが接続されると、携帯電話２は、当該携帯電話２に予め記憶されている上記画像データの取得条件を取得する（ステップＳ１１でイエス、ステップＳ１２）。
【００９５】
そして、携帯電話２は、上記カメラ端末３が備える撮影画像記憶部３０４に上記画像データの取得条件に該当する画像データが記憶されているかを検索する（ステップＳ１３）。撮影画像記憶部３０４に画像データが記憶されていない場合には、データ処理を終了する（ステップＳ１４でノー）。
【００９６】
一方、上記携帯電話２は、上記撮影画像記憶部３０４に画像データが記憶されている場合に、当該画像データの取得又は転送が可能であるかを判断する（ステップＳ１４でイエス、ステップＳ１５）。
【００９７】
具体的には、画像データを取得して記憶するために携帯電話２が備える取得画像記憶部２０５の容量が、充分あるか否かを判断する。また、上記転送が可能であるか否かを判断するとは、携帯電話２が備える無線通信部２０７を介して、所定の情報処理端末に画像データを送信する際の通信状況を判断する。例えば、トンネル内における電波の届かない状況での通信などは、転送が不可能であると判断する。
【００９８】
上記携帯電話２は、画像データの取得又は転送が不可能である場合に、その旨を当該携帯電話２が備える表示部２０６に表示する（ステップＳ１５でノー、ステップＳ１６）。一方、画像データの取得又は転送が可能である場合に携帯電話２は、画像データの取得又は転送を行う（ステップＳ１５でイエス、ステップＳ１７）。
【００９９】
次に、図６を参照して上記カメラ部制御設定情報の設定操作の動作について説明する。まず、上記携帯電話２と、上記カメラ端末３とは、接続している状態である。そして、携帯電話２は、当該携帯電話２が備える操作部２０２を介して入力されたカメラ部制御設定情報を取得する（ステップＳ２１）。カメラ部制御設定情報を取得した上記携帯電話２は、カメラ部制御設定情報を上記カメラ端末３に送信する（ステップＳ２２）。
【０１００】
次に、カメラ端末３は、上記携帯電話２から送信された上記カメラ部制御設定情報を取得する（ステップＳ２３）。そして、カメラ端末３は、取得したカメラ部制御設定情報を当該カメラ端末３が備える撮影条件記憶部３０９に記憶する（ステップＳ２４）。
【０１０１】
次に、図７を参照して上記携帯電話２が備える着脱検出部２１０の動作について説明する。まず、着脱検出部２１０は、上記携帯電話２と、上記カメラ端末３とが分離したことを検出する（ステップＳ３１）。そして、着脱検出部２１０は、携帯電話２と、カメラ端末３とが分離したことを検出した時刻を、上記携帯電話２が備える分離時間帯記憶部２０９に記憶する（ステップＳ３２）。
【０１０２】
その後、着脱検出部２１０は、上記携帯電話２と、上記カメラ端末３とが接続されたことを検出する（ステップＳ３３）。そして、着脱検出部２１０は、携帯電話２と、カメラ端末３とが接続されたことを検出した時刻を、上記携帯電話２が備える分離時間帯記憶部２０９に記憶する（ステップＳ３４）。
【０１０３】
なお、上述したことから上記分離時間帯記憶部２０９は、携帯電話２とカメラ端末３とが分離した時刻から、携帯電話２とカメラ端末３とが接続した時刻までの時間帯を、携帯電話２とカメラ端末３とが分離していた分離時間帯として記憶する。そして、着脱検出部２１０は、携帯電話２とカメラ端末３とが接続されたことを検出したことを、携帯電話２１が備える上記画像取得部２１１へ通知する（ステップＳ３５）。
【０１０４】
次に、図８を参照して上記カメラ端末３が備える撮影制御部３１０の動作について説明する。上記撮影制御部３１０は、上記カメラ端末３が備える撮影条件記憶部３０９に記憶されている上記カメラ部制御設定情報に基づいてカメラ部３０５を制御して撮影を行う。
【０１０５】
まず、撮影制御部３１０は、上記カメラ端末３が備える上記撮影条件記憶部３０９に記憶されている上記カメラ部制御設定情報を参照する（ステップＳ４１）。このとき、撮影制御部３１０は、カメラ部制御設定情報の１つである撮影時間情報から、撮影を開始する時刻から、撮影を終了する時刻までの撮影時間帯を表す情報を取得する。また、撮影制御部３１０は、カメラ部制御設定情報の１つである上記撮影枚数情報と、上記取得した撮影時間帯とから、当該撮影時間帯において等間隔に上記設定された撮影枚数を撮影する際の撮影時刻を取得する。
【０１０６】
次に、撮影制御部３１０は、現在の時刻が上記取得した撮影時間帯であるか否かを判断する。撮影制御部３１０は、撮影を行う撮影時間帯でない時刻においては撮影を行わない（ステップＳ４２でノー）。一方、撮影制御部３１０は、撮影時間帯であると判断した場合には、上記撮影時刻であるか否かを判断する（ステップＳ４２でイエス、ステップＳ４３）。
【０１０７】
上記撮影制御部３１０は、撮影時間帯であって、撮影時刻でないと判断した場合には、撮影時刻であると判断するまでステップＳ４２に戻る（ステップＳ４３でノー）。一方、撮影制御部３１０は、撮影時間帯であって、撮影時刻であると判断した場合には、撮影設定枚数情報を参照する（ステップＳ４３でイエス、ステップＳ４４）。
【０１０８】
上記撮影枚数情報とは、上述したように上記カメラ端末３によって撮影される画像枚数（画像データ数）を特定する情報である。上記撮影制御部３１０は、この撮影枚数情報を参照して、取得した画像データの数が、設定された撮影枚数を取得しているか否かを判断する。既に、設定された撮影枚数の画像データを取得した場合に撮影制御部３１０は、撮影を終了するよう上記カメラ部３０５を制御する（ステップＳ４４でノー）。
【０１０９】
また、撮影制御部３１０は、設定された撮影枚数の画像データを取得していない場合には、撮影を行うようにカメラ部３０５を制御する（ステップＳ４４でイエス、ステップＳ４５）。そして、撮影制御部３１０は、撮影をして取得した画像データを、当該画像データを撮影した撮影時刻と共に、上記カメラ端末３が備える撮影画像記憶部３０４に記憶する（ステップＳ４６）。
【０１１０】
なお、図示してはいないが、上記携帯電話２と、上記カメラ端末３とが接続している場合にも当然撮影は可能である。この場合、上記撮影制御部３１０は、携帯電話２が備える操作部３０７を介して入力される情報に基づいて、カメラ端末３が備えるカメラ部３０５を制御して撮影を行う。上記携帯電話２が備える操作部３０７を介して入力される情報とは、例えば、撮影開始を示す情報であり、又は、上述したカメラ部制御設定情報である。そして、カメラ端末３が備える撮影制御部３１０は、撮影して取得した画像データを撮影した時刻と共に、上記携帯電話２が備える取得画像記憶部２０５に記憶する。
【０１１１】
次に、図９を参照して携帯電話２によるデータ処理の動作について説明する。まず、携帯電話２は、当該携帯電話２と上記カメラ端末３とが接続すると、当該携帯電話２が備える分離時間帯記憶部２０９に記憶されている上記分離時間帯を取得する（ステップＳ５１）。そして、携帯電話２は、上記取得した分離時間帯に、上記カメラ端末３が撮影した画像データが当該カメラ端末３が備える撮影画像記憶部３０４に存在するか否かを検索する（ステップＳ５２）。
【０１１２】
上記カメラ端末３が備える撮影画像記憶部３０４に上記画像データが記憶されていなければ、上記携帯電話２によるデータ処理は終了する（ステップＳ５３でノー）。一方、該当する画像データが上記撮影画像記憶部３０４に記憶されている場合に、上記携帯電話２は、上記画像データを取得する（ステップＳ５３でイエス、ステップＳ５４）。そして、携帯電話２は、取得した画像データを、当該携帯電話２が備える取得画像記憶部２０５に記憶する（ステップＳ５５）。
【０１１３】
次に、図１０を参照して上記携帯電話２が備える画像取得部２１１の動作について説明する。まず、画像取得部２１１は、上記着脱検出部２１０が、上記携帯電話２と、上記カメラ端末３との接続を検出したことを受付ける（ステップＳ６１）。すると、画像取得部２１１は、携帯電話２が備える上記分離時間帯記憶部２０９に記憶されている上記分離時間帯を取得する（ステップＳ６２）。そして、画像取得部２１１は、取得した分離時間帯に上記カメラ端末３にて撮影されて、当該カメラ端末３が備える撮影画像記憶部３０４に記憶されている画像データが存在するか否かを検索する（ステップＳ６３）。
【０１１４】
具体的には、まず、上述したように撮影された画像データは、撮影時刻と共にカメラ端末３が備える撮影画像記憶部３０４に記憶される。上記携帯電話２が備える画像取得部２１１は、画像データと共に記憶されている上記撮影時刻と、取得した上記分離時間帯と、を比較する。そして、画像取得部２１１は、上記撮影時刻が上記分離時間帯内であれば該当する画像データと判断する。
【０１１５】
なお、上述した図５の説明における「画像データ取得条件」とは、本発明の実施形態においては上記分離時間帯のことを示す。しかし、画像データ取得条件は、これに限られなく、携帯電話２と、カメラ端末３とが分離している間に当該カメラ端末３によって撮影された画像データであると識別することが出来る情報であれば、いかなる情報であっても画像データ取得条件となる。
【０１１６】
上記画像取得部２１１は、上記撮影画像記憶部３０４に該当する画像データが存在しない場合には、画像データのバックアップを終了する（ステップＳ６４でノー）。また、画像取得部２１１は、撮影画像記憶部３０４に該当する画像データが存在する場合には、画像データの取得が可能であるか否かを判断する。
【０１１７】
上記画像取得部２１１は、上記画像データの取得が不可能である場合に、上記携帯電話２が備える表示部に画像データを取得することが不可能の旨を表示する（ステップＳ６５でノー、ステップＳ６６）。一方、画像データの取得が可能である場合に、画像取得部２１１は、当該画像データを取得する（ステップＳ６５でイエス、ステップＳ６７）。
【０１１８】
そして、画像取得部２１１は、取得した画像データを携帯電話２が備える取得画像記憶部２０５に記憶する。又は、画像取得部２１１は、取得した画像データを携帯電話２が備える無線通信部２０７を介して、他の情報処理端末へ送信する。（ステップＳ６８）。
【０１１９】
上述したように、上記携帯電話２が、上記カメラ端末３のカメラ部制御設定情報を設定すること、また、カメラ端末３が撮影した画像データのデータ処理を行うことから、撮影機器の小型化に伴う操作の煩雑性を省くことが出来る。また、携帯電話２と、カメラ端末３とが着脱可能であると共に、当該カメラ端末３は、携帯電話２との着脱に関係なく撮影を行うことが可能であることから、撮影状況の多様化を図ることが出来る。
【０１２０】
なお、上述した本発明の実施形態において上記カメラ端末３は、携帯電話２から入力された情報及びカメラ部制御設定情報に基づいて、当該カメラ端末３が備えるカメラ部３０５を制御して撮影を行ったが、これに限られない。図２（ｂ）及び図３に示すように、カメラ端末３は、当該カメラ端末３が備える操作部３０７を介して入力された情報に基づいて当該カメラ端末３は、上記カメラ部３０５を制御して撮影を行うことが可能であってもよい。
【０１２１】
例えば、カメラ端末３が備える操作部３０７は、ファンクションキーであり、撮影開始を示す情報を入力することが出来るという構成を採ってもよく、また、簡易に上記カメラ部制御設定情報を上述したように設定することが可能であるという構成をとってもよい。なお、カメラ端末３が備える操作部３０７は、上述したファンクションキーに限られない。情報を入力することが可能であれば、いかなる操作部３０７であってもよい。
【０１２２】
上記構成を採った場合におけるカメラ端末３が備える撮影制御部３１０の動作について図１１を参照して説明する。まず、撮影制御部３１０は、カメラ端末３に予め上記カメラ部制御設定情報が設定記憶されているか否かを、当該カメラ端末３が備える上記撮影条件記憶部３０９を検索する（ステップＳ７１）。
【０１２３】
上記撮影制御部３１０は、上記撮影条件記憶部３０９に上記カメラ部制御設定情報が記憶されていない場合には、上記カメラ端末３が備える操作部３０７を介して入力される情報があるか否かを判断する（ステップＳ７１でノー、ステップＳ７２）。
【０１２４】
上記操作部３０７を介して入力される情報とは、当該カメラ端末３に設けられた操作部３０７が押下されたことを検出することで、撮影の開始とする情報である。また、当該カメラ端末３に設けられたファンクションキーにより、簡易に設定されたカメラ部制御設定情報であってもよい。なお、上記カメラ端末３に設けられたファンクションキーを用いて簡易にカメラ部制御設定情報を設定するには、上述した携帯電話２同様に、カメラ端末３にもプログラムすることで実現は可能である。
【０１２５】
上記撮影制御部３１０は、上記カメラ端末が備える操作部３０７を介して情報が入力さない場合には、撮影を行わない（ステップＳ７２でノー）。一方、上記操作部３０７を介して情報が入力された場合に撮影制御部３１０は、当該入力された情報に基づいて撮影を行う（ステップＳ７２でイエス、ステップＳ７７）。
【０１２６】
また、上記撮影制御部３１０は、上記カメラ端末３が備える撮影条件記憶部３０９に上記カメラ部制御設定情報が記憶されている場合には、当該カメラ部制御設定情報を参照する（ステップＳ７１でイエス、ステップＳ７３）。このとき、撮影制御部３１０は、カメラ部制御設定情報の１つである撮影時間情報から、撮影を行うことが可能な時間帯を示す上記撮影時間帯を表す情報を取得する。また、撮影制御部３１０は、カメラ部制御設定情報の１つである上記撮影枚数情報と、上記取得した撮影時間帯とから、当該撮影時間帯に等間隔で上記設定された撮影枚数を撮影する際の撮影時刻を取得する。
【０１２７】
そして、上記撮影制御部３１０は、現在の時刻が上記取得した撮影時間帯であるか否かを判断する。撮影制御部３１０は、撮影を行う撮影時間帯でない時刻においては撮影を行わない（ステップＳ７４でノー）。一方、撮影制御部３１０は、撮影時間帯であると判断した場合には、上記撮影時刻であるか否かを判断する（ステップＳ７４でイエス、ステップＳ７５）。
【０１２８】
上記撮影制御部３１０は、撮影時間帯であって、撮影時刻でないと判断した場合には、撮影時刻であると判断するまでステップＳ７４に戻る（ステップＳ７５でノー）。一方、撮影制御部３１０は、撮影時間帯であって、撮影時刻であると判断した場合には、撮影枚数情報を参照する（ステップＳ７５でイエス、ステップＳ７６）。
【０１２９】
次に、撮影制御部３１０は、この撮影枚数情報を参照して撮影して取得した画像データの数が、設定された撮影枚数を取得しているか否かを判断する。既に、設定された撮影枚数の画像データを取得した場合に撮影制御部３１０は、撮影を終了するよう上記カメラ部３０５を制御する（ステップＳ７６でノー）。一方、設定された撮影枚数の画像データを取得していない場合に撮影制御部３１０は、撮影を行うようにカメラ部３０５を制御する（ステップＳ７６でイエス、ステップＳ７７）。
【０１３０】
そして、撮影制御部３１０は、撮影した画像データを、当該画像データを撮影した撮影時刻と共に、上記カメラ端末３が備える撮影画像記憶部３０４に記憶する（ステップＳ７８）。
【０１３１】
上述したように上記カメラ端末３を構成することにより、撮影装置の小型化を図ると共に、当該小型化に伴う操作の煩雑性を省くことが出来る。また、撮影装置を小型化することで撮影状況の多様化を図ることが出来る。
【産業上の利用可能性】
【０１３２】
本発明は、カメラ端末と、当該カメラ端末と着脱可能な情報処理端末を備えた撮影装置である。上記カメラ端末と着脱可能な上記情報処理端末は、携帯電話に限られず、ポータブルゲーム機や、ＰＤＡなど、カメラ端末と相互に接続可能な接続端子を備えることにより、いかなる情報処理端末でも利用することが可能であり、産業上の利用可能性を有する。
【図面の簡単な説明】
【０１３３】
【図１】図１（ａ）は、撮影装置１の外観構成を示す概略図であり、図１（ｂ）は、撮影装置１を用いて撮影を行う撮影状況を示す図である。
【図２】図２（ａ）は、携帯電話２の構成を示すブロック図であり、図２（ｂ）は、カメラ端末３の構成を示すブロック図である。
【図３】撮影装置１の構成を示すブロック図である。
【図４】撮影装置１が撮影を行う動作を示すフローチャートである。
【図５】撮影装置１による画像データ処理の動作を示すフローチャートである。
【図６】携帯電話２がカメラ部制御設定情報の設定を行う動作を示すフローチャートである。
【図７】着脱検出部２１０の動作を示すフローチャートである。
【図８】撮影制御部３１０の動作を示すフローチャートである。
【図９】携帯電話２による画像データ処理の動作を示すフローチャートである。
【図１０】画像取得部２１１の動作を示すフローチャートである。
【図１１】撮影制御部３１０の動作を示すフローチャートである。
【符号の説明】
【０１３４】
１  撮影装置
２  携帯電話
３  カメラ端末
２０１、３０１  接続端子（接続部）
２０２、３０７  操作部
２０３、３０２  制御部
２０４、３０３  記憶部
２０５  取得画像記憶部
２０６、３０６  表示部
２０７  無線通信部
２０８  撮影条件設定部
２０９  分離時間帯記憶部
２１０  着脱検出部
２１１  画像取得部
３０４  撮影画像記憶部
３０５  カメラ部
３０８  撮影条件取得部
３０９  撮影条件記憶部
３１０  撮影制御部
【図１】
2009232328.tif 000003
【図２】
2009232328.tif 000004
【図３】
2009232328.tif 000005
【図４】
2009232328.tif 000006
【図５】
2009232328.tif 000007
【図６】
2009232328.tif 000008
【図７】
2009232328.tif 000009
【図８】
2009232328.tif 000010
【図９】
2009232328.tif 000011
【図１０】
2009232328.tif 000012
【図１１】
2009232328.tif 000013